(57)【要約】      （修正有）【課題】気体を充填したエアチューブにより、バックパックを背負っている時に、使用者の背部、前胸両側、肩部に対する緩衝部となるパッドを備えたバックパック構造を提供する。【解決手段】パッドを備えるバックパック構造は、バックパック１、バックベルト１１、及びバックパック１後縁面及びバックベルト１１に設置する第一及び第二パッド２、３からなる。第一パッド２は板状のエアチューブで、バックパック１後縁に密着させて固定し、適当な位置に空気充填口２１を設置し、第二パッド３は２本の棒状のエアチューブで、両側のバックベルト１１後縁に密着させて固定し、適当な位置に別の空気充填口を設置する。空気充填装置４により空気充填口２１等から第一、第二エアチューブ２、３に対して空気を充填し、バックパック１を背負っている時に第一、第二エアチューブ２、３により、使用者の背部、前胸両側、肩部に対する緩衝作用を生ずる。【選択図】図１
0003176345.tif 000002
【実用新案登録請求の範囲】
【請求項１】
パッドを備えるバックパック構造は、バックパック、バックベルト、及び該バックパック後縁面と該バックベルトに設置する第一パッド、第二パッドからなり、
該第一パッドは、該バックパックの後縁に密着させて固定し、適当な位置に空気充填口を設置し、
該第二パッドは、該両側のバックベルトの後縁に密着させて設置し、適当な位置に空気充填口を設置し、
使用時には、空気充填装置により、該空気充填口から、該第一、第二エアチューブに対して空気を充填し、空気充填後の該第一、第二エアチューブは、一定の厚みの柔軟層を形成し、
これにより、バックパックを背負っている時に、該第一、第二エアチューブにより、使用者の背部、前胸両側、肩部に対する緩衝作用を構成し、こうして使用者の負担を軽減でき、バックパックを背負うのが比較的楽になることを特徴とするパッドを備えるバックパック構造。
【請求項２】
前記第一パッドは、板状のエアチューブで、大きさは該バックパックとおおよそ等しく、該バックパックの後縁に密着させて固定することを特徴とする請求項１に記載のパッドを備えるバックパック構造。
【請求項３】
前記第二パッドは、２本の棒状のエアチューブで、大きさは該バックパックの両側のバックベルトとおおおよそ等しく、該両側のバックベルトの後縁に密着させて固定することを特徴とする請求項１に記載のパッドを備えるバックパック構造。
【考案の詳細な説明】
【技術分野】
【０００１】
本考案はパッドを備えるバックパック構造に関し、特に気体を充填したエアチューブにより、バックパックを背負っている時に、使用者の背部、前胸両側、肩部に対する緩衝作用を構成することができ、こうして使用者の負担を軽減でき、バックパックを背負うことがより楽になるパッドを備えるバックパック構造に関する。
【背景技術】
【０００２】
一般の人はバックパックを背負う際、特に小学生がスクールバッグを背負う際には、バックパックの重量及び左、右バックベルトの負荷を軽視しがちである。
これにより、使用者は重すぎるバックパックを長期間背負うことで、リラックスできないばかりか、脊椎等部位の傷害を招く恐れもある。
特に、小学生は発育過程にあるため、不適切な過重圧力と重量に押さえつけられることで、身体の正常な成長に悪影響が及ぶ恐れさえある。
【０００３】
しかし、市販のバックパックにおいては、負荷圧力の緩衝作用は一切考慮されていないため、大人も小学生も、長期間にわたり、不適当な負担を受け続けている。
本考案は、従来のバックパック構造の上記した欠点に鑑み、バックパックを背負う際の負担を軽減しようとなされたものである。
【先行技術文献】
【特許文献】
【０００４】
【特許文献１】特開２００３−２６５２２０号公報
【考案の概要】
【考案が解決しようとする課題】
【０００５】
本考案が解決しようとする課題は、気体を充填したエアチューブにより、バックパックを背負っている時に、使用者の背部、前胸両側、肩部に対する緩衝作用を構成することができ、こうして使用者の負担を軽減でき、バックパックを背負うのが比較的楽になるパッドを備えるバックパック構造を提供することである。
【課題を解決するための手段】
【０００６】
上記課題を解決するため、本考案は下記のパッドを備えるバックパック構造を提供する。
パッドを備えるバックパック構造は、バックパック、バックベルト、及び該バックパック後縁面及び該バックベルトに設置する、第一及び第二パッドからなり、
該第一パッドは、板状のエアチューブで、該バックパック後縁に密着させて固定し、適当な位置に空気充填口を設置し、
該第二パッドは、２本の棒状のエアチューブで、該両側のバックベルト後縁に密着させて固定し、適当な位置に空気充填口を設置し、
空気充填装置により、該空気充填口から、該第一、第二エアチューブに対して空気を充填し、バックパックを背負っている時に、該第一、第二エアチューブにより、使用者の背部、前胸両側、肩部に対する緩衝作用を構成し、こうして使用者の負担を軽減でき、バックパックを背負うのが比較的楽になる。
【考案の効果】
【０００７】
本考案のパッドを備えるバックパック構造は、バックパック後縁及びバックベルトにエアチューブを設置し、気体を充填したエアチューブにより、バックパックを背負っている時に、使用者の背部、前胸両側、肩部に対する緩衝作用を構成することができ、こうして使用者の負担を軽減でき、バックパックを背負うことをより楽にすることができる。
【図面の簡単な説明】
【０００８】
【図１】本考案の立体図である。
【図２】本考案の別種の立体図である。
【図３】本考案の使用実施例図である。
【考案を実施するための形態】
【０００９】
以下に図面を参照しながら本考案を実施するための最良の形態について詳細に説明する。
【実施例】
【００１０】
図１、２は、本考案の立体図である。
【００１１】
図に示すように、本考案は、バックパック１、バックベルト１１、及び該バックパック後縁面と該バックベルト１１に設置する第一パッド２、第二パッド３からなる。
【００１２】
該第一パッド２は、板状のエアチューブで、大きさは該バックパック１とおおよそ等しく、該バックパック１の後縁に密着させて固定し、適当な位置に空気充填口２１を設置する。
【００１３】
該第二パッド３は、２本の棒状のエアチューブで、大きさは該バックパック１の両側のバックベルト１１とおおおよそ等しく、両側のバックベルト１１の後縁に密着させて固定し、適当な位置に空気充填口３１を設置する。
【００１４】
上記した構成部材の組合せにより、パッドを備えるバックパック構造を構成する。
【００１５】
使用時には、空気充填装置４（図示の圧縮型、或いは他の型式の空気充填装置など）により、該空気充填口２１、３１から、該第一、第二エアチューブ２、３に対して空気を充填する。
【００１６】
空気充填後の該第一、第二エアチューブ２、３は、一定の厚みの柔軟層を形成し、こうしてバックパック１を背負う時、該第一、第二エアチューブ２、３により、使用者の背部、前胸両側、肩部に対する緩衝作用を構成し、使用者の負担を軽減でき、バックパック１を背負うのをより楽にすることができる。
【００１７】
図３は、本考案の使用実施例図である。
【００１８】
図１、２に合わせて示すように、本考案使用時には、空気充填装置４により、該空気充填口２１、３１から、該第一、第二エアチューブ２、３に対して空気を充填する。
【００１９】
空気充填後の該第一、第二エアチューブ２、３は、一定の厚みの柔軟層を形成し、こうしてバックパック１を背負う時、該第一エアチューブ２は、使用者の背部において支え、該第二エアチューブ３は、使用者の前胸両側及び肩部において支える。
【００２０】
こうして、使用者の身体とバックパック１との間は、該第一、第二エアチューブ２、３により隔離され、使用者の背部、前胸両側、肩部に対する緩衝作用を構成し、使用者の身体を直接圧迫することがないため、使用者の負担を軽減でき、該バックパック１を長時間背負っていても比較的楽になり、不適当な力が身体にかかることによる傷害を回避することができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２３】
１  バックパック
１１  バックベルト
２  第一パッド
２１  空気充填口
３  第二パッド
３１  空気充填口
４  空気充填装置
【図１】
0003176345.tif 000003
【図２】
0003176345.tif 000004
【図３】
0003176345.tif 000005